(57)【要約】      （修正有）【課題】組み立て式で形成されて保管及び組立が容易な組み立て式キャンプ用火鉢を提供する。【解決手段】組み立て式キャンプ用火鉢１は、地面に配置されるベース板１１１と、ベース板１１１の両側に垂直に配置された一対の支持レッグ１１３によって離隔配置された灰受け板１１５と、灰受け板１１５の上面に両側に折り畳み可能に結合された一対の側面結合翼１２０とを有し、ベース板１１１と灰受け板１１５との間に収納空間１１７が形成された本体１００と、一対の側面結合翼１２０が灰受け板１１５に対して垂直方向に広がるとき、一対の側面結合翼１２０との間に、着脱可能に挟み結合され、灰受け板１１５とともに燃焼空間を形成する一対の二重パネル２００と、を含む。また、一対の二重パネル２００が結合された燃焼空間に着脱可能に配置され、上面に燃料が配置される燃焼板を含む方が望ましい。【選択図】図１
0003230029.tif 000002
【実用新案登録請求の範囲】
【請求項１】
地面に配置されるベース板（１１１）と、前記ベース板（１１１）の両側に垂直に配置された一対の支持レッグ（１１３）により離隔配置された灰受け板（１１５）と、前記灰受け板（１１５）の上面に両側に折り畳み可能に結合された一対の側面結合翼（１２０）とを有し、前記ベース板（１１１）と前記灰受け板（１１５）との間に収納空間（１１７）が形成された本体（１００）と；
前記一対の側面結合翼（１２０）が前記灰受け板（１１５）に対して垂直方向に広がるとき、前記一対の側面結合翼（１２０）の間に着脱可能に挟み結合され、前記灰受け板（１１５）と共に燃焼空間（２３０）を形成する一対の二重パネル（２００）と；
前記一対の二重パネル（２００）が結合された前記燃焼空間（２３０）に着脱可能に配置され、上面に燃料が配置される燃焼板（３００）と、を含むことを特徴とする組み立て式キャンプ用火鉢。
【請求項２】
前記側面結合翼（１２０）から分離された前記一対の二重パネル（２００）と、前記燃焼空間（２３０）から分離された燃焼板（３００）とは、前記収納空間（１１７）の内部に収納され、
前記一対の二重パネル（２００）と分離された前記一対の側面結合翼（１２０）は、前記 灰受け板（１１５）の上面に水平方向に折り曲げられることを特徴とする請求項１に記載の組み立て式キャンプ用火鉢。
【請求項３】
前記二重パネル（２００）の上面に積載され、かつ食べ物が調理される鉄板（４００）と；
前記二重パネル（２００）の上部の一側に着脱可能に結合され、前記鉄板（４００）に傾斜角を形成する鉄板固定金具（４２０）をさらに含み、
前記鉄板（４００）は、前記収納空間（１１７）の内部に一緒に収納されることを特徴とする請求項２に記載の組み立て式キャンプ用火鉢。
【請求項４】
前記二重パネル（２００）の上面に選択的に結合されるグリル（５００）、ガスバーナーキット（６００）及びアルコール暖炉キット（７００）をさらに含むことを特徴とする請求項２に記載の組み立て式キャンプ用火鉢。
【考案の詳細な説明】
【技術分野】
【０００１】
本考案は、組み立て式キャンプ用火鉢{Ｐrefabricated camping brazier}に係るものであって、より詳しくは組立と収納が容易であり、燃料の完全燃焼を誘導することができる組み立て式キャンプ用火鉢に関するものである。
【背景技術】
【０００２】
最近、週休二日制の実施と所得水準の向上のため、週末にキャンプをする人が増加しており、これによってキャンピング用品の需要が増大している。
【０００３】
このようなキャンピング用品のうち、野外で薪や燃料を燃やして周りを暖房したり、肉や食べ物の調理に使われるのがキャンプ用火鉢である。
【０００４】
従来のキャンプ用火鉢は、薪や炭のような燃料を燃やすための燃焼空間が形成された本体と、本体の上部に安着するグリルと、本体の下部に備えられて燃料の燃焼後に発生する灰を収容する灰受けで構成される。
【０００５】
従来のキャンプ用火鉢は、大きさが決まった状態で製造される。これにより、サイズの大きいキャンプ用火鉢が必要な場合、当該サイズのキャンプ用火鉢を別に具備しなければならない煩わしさがあった。また、複数のキャンプ用火鉢を備える場合、運搬と保管の際に多くの体積を占める短所があった。
【０００６】
また、従来のキャンプ用火鉢は、金属材質で形成され、燃料の燃焼時に熱く加熱される。したがって、火災の危険性があるため、従来のキャンプ用火鉢はテーブルの上に置かれた状態で使用できず、地面に置いた状態で使用されていた。このため、キャンピングチェアに座った使用者が腰を曲げないと床のキャンプ用火鉢を使うことができず、使用者の身体に負担を与える不便さがあった。
【０００７】
また、従来のキャンプ用火鉢は、燃料の下部に一度だけ外部空気が流入するので、燃料の燃焼に必要な酸素が十分に供給されなくなる。これにより従来のキャンプ用火鉢は、燃料が一度だけ燃焼され、ほとんど不完全燃焼するという問題がある。
【０００８】
不完全燃焼した燃焼ガスは、酸素が不足し、水素と二酸化炭素だけでなく一酸化炭素が発生し、完全燃焼と比較すると単位燃料当たりの熱効率が低下する短所がある。熱効率が低いため、火の温度が低く、食べ物の調理時間も長くなり、燃料消耗量も増加する短所がある。
【先行技術文献】
【特許文献】
【０００９】
【特許文献１】韓国登録実用新案第２０-０４６９５１４号、「キャンピング用キャンプ用火鉢兼用暖炉」
【特許文献２】韓国登録実用新案第２０-０４７９８７０号、「組み立て式キャンプ用火鉢」
【考案の概要】
【考案が解決しようとする課題】
【００１０】
本考案の目的は、上述の問題を解決するために、組み立て式で形成されて保管及び組立が容易な組み立て式キャンプ用火鉢を提供することである。
【００１１】
本考案の他の目的は、テーブルの上でも使用可能な組み立て式キャンプ用火鉢を提供することである。
【００１２】
本考案のもう一つの目的は、燃料の完全燃焼を誘導する組み立て式キャンプ用火鉢を提供することである 
【００１３】
本考案のもう一つの目的は、多様なキットを選択的に使用して多様な目的で利用できる組み立て式キャンプ用火鉢を提供することである。
【課題を解決するための手段】
【００１４】
上述した本考案の目的は、組み立て式キャンプ用火鉢によって達成されるだろう。本考案の組み立て式キャンプ用火鉢は、地面に配置されるベース板１１１と、前記ベース板１１１の両側に垂直に配置された一対の支持レッグ１１３によって離隔配置された灰受け板１１５と、前記灰受け板１１５の上面において両側に折り畳み可能に結合された一対の側面結合翼１２０を有し、前記ベース板１１１と前記灰受け板１１５との間に収納空間１１７が形成された本体１００と、前記一対の側面結合翼１２０が前記灰受け板１１５に対して垂直方向に広げられる時、前記一対の側面結合翼１２０の間に着脱可能に挟み結合されて前記灰受け板１１５とともに燃焼空間２３０を形成する一対の二重パネル２００と、を含む。
【００１５】
また、前記一対の二重パネル２００が結合された前記燃焼空間２３０に着脱可能に配置され、上面に燃料が配置される燃焼板３００を含める方が望ましい。
【考案の効果】
【００１６】
本考案による組み立て式キャンプ用火鉢は、本体内部に二重パネルと鉄板が一緒に収納され、体積を最小限に抑えて収納及び保管が容易である長所がある。
【００１７】
また、使用のために一対の側面結合翼を広げ、一対の二重パネルを挟んで燃焼板を安着させる簡単な過程によって組み立てを完了できる便利さがある。
【００１８】
さらに、組み立て済みの組み立て式キャンプ用火鉢は、床に熱が伝わらない木材で形成され、地面だけでなくテーブル上にも配置でき、使用者の身体的負担を軽減できるという長所がある。
【００１９】
そのうえ、燃料の下部に供給される外部空気のほか、燃料の上部に温度が上昇した２次空気を供給して、２次燃焼が進むようにする。これにより、完全燃焼を誘導して単位燃料当たりの熱効率を最大化できるというメリットがある。
【図面の簡単な説明】
【００２０】
【図１】本考案による組み立て式キャンプ用火鉢の外部構成を示す斜視図である。
【図２】本考案による組み立て式キャンプ用火鉢に鉄板が結合された状態を示す斜視図である。
【図３】本考案による組み立て式キャンプ用火鉢の構成を分解して示す分解斜視図である。
【図４】本考案による組み立て式キャンプ用火鉢の断面を示す断面図である。
【図５】本考案による組み立て式キャンプ用火鉢を収納する過程を示す例示図である。
【図６】本考案による組み立て式キャンプ用火鉢が収納された状態を示す例示図である。
【図７】本考案による組み立て式キャンプ用火鉢を組み立てる過程を示す例示図である。
【図８】同上。
【図９】本考案による組み立て式キャンプ用火鉢の様々な使用例を示す例示図である。
【図１０】同上。
【考案を実施するための最良の形態】
【００２１】
以下では、本考案の望ましい実施例及び添付する図面を参照して本考案を詳しく説明するものの、図面の同一の参照符号は同一の構成要素を称することを前提して説明することとする。
【００２２】
考案の詳細な説明又は実用新案登録請求の範囲において、何れかの構成要素が他の構成要素を「含む」とする場合、これは特に反対の記載がない限り、当該構成要素のみからなるものと限定して解釈せず、他の構成要素をさらに含むことができるものと理解しなければならない。
【００２３】
図１は、本考案による組み立て式キャンプ用火鉢１が組立られた状態を示す斜視図であり、図２は、組み立て式キャンプ用火鉢１に鉄板４００が結合された状態を示す斜視図であり、図３は、組み立て式キャンプ用火鉢１の構成を分解して示す分解斜視図である。
【００２４】
図４は、組み立て式キャンプ用火鉢１の断面構成を示す断面図であり、図５は、組み立て式キャンプ用火鉢１が収納のために折りたたまれた状態を示す例示図である。
【００２５】
本考案による組み立て式キャンプ用火鉢１は、組立及び分解が可能に備えられ、使用しない場合、図５に示されるように、分解された後、小さな体積で収納されて保管され、使用する場合は、図１に示されるように、キャンプ現場で直ちに組立てて使用される。つまり、分解と組み立て、及び収納が簡単な長所がある。
【００２６】
また、本考案による組み立て式キャンプ用火鉢１は、燃料を燃焼させるとき、図４に示されるように燃料（Ｂ）の下部から供給される外部空気（Ａ）を介して１次燃焼が行われ、二重パネル２００の内部を通って移動され、温度の上昇した２次空気（Ａ２）が供給されて２次燃焼が行われて完全燃焼になる。これにより熱効率が高まり単位燃料当たりの発熱量が増加し、食べ物を加熱するための加熱時間が短縮されるメリットがある。
【００２７】
本考案による組み立て式キャンプ用火鉢１は、収納空間を提供し、テーブルの上面に積載される本体１００と、本体１００に組み立てられ、燃料（Ｂ）が燃焼する燃焼空間２３０を形成し、空気移動空間２１８を提供する一対の二重パネル２００と、燃焼空間２３０に設けられて燃料（Ｂ）が積載される燃焼板３００と、を含む。
【００２８】
また、組み立て式キャンプ用火鉢１は、食べ物を加熱できる鉄板４００を含む。
【００２９】
本体１００は、図５に示すように組み立て式キャンプ用火鉢１を使用しない場合、内部の収納空間１１７に一対の二重パネル２００と燃焼板３００及び鉄板４００を収容する。さらに、本体１００は、組み立て式キャンプ用火鉢１を使用する場合、図１に示されるように一対の二重パネル２００が組み立てられるように支持し、鉄板４００が上部に安着されるように支持する。
【００３０】
本体１００は、収納空間を提供する下部スタンド１１０と、下部スタンド１１０の上部両側に折り畳み可能に結合される一対の側面結合翼１２０と、を含む。
【００３１】
図３に示されるように下部スタンド１１０は、地面に配置されるベース板１１１とベース板１１１の前方と後方に垂直方向に結合される一対の支持レッグ１１３と、一対の支持レッグ１１３の上部に結合される灰受け板１１５と、を含む。
【００３２】
ベース板１１１は、熱が伝わらない木材で備えられる。これにより、使用者が本体１００をキャンプテーブルの上面に積載できるようになる。ベース板１１１は木材だけでなく、熱が伝わらない耐久性を有する多様な素材で形成され得る。
【００３３】
一対の支持レッグ１１３は、ベース板１１１の長さ方向に沿って前後に垂直方向に結合され、ベース板１１１と灰受け板１１５との間に収納空間１１７が形成されるようにする。一対の支持レッグ１１３の高さは、内部に収納される一対の二重パネル２００の厚さと、鉄板４００の厚さを考慮して決定する。
【００３４】
一対の支持レッグ１１３の上部と下部には、対向する方向に上部折り曲げ結合面１１３ａと、下部折り曲げ結合面１１３ｂとがそれぞれ備えられる。上部折り曲げ結合面１１３ａは灰受け板１１５と結合され、下部折り曲げ結合面１１３ｂはベース板１１１と結合される。ベース板１１１と一対の支持レッグ１１３は、結合ボルトのような締結部材によって固定結合される。
【００３５】
灰受け板１１５は、一対の支持レッグ１１３の上面に結合され、燃焼空間２３０の底面を形成する。また、灰受け板１１５は、燃焼空間２３０に位置する燃焼板３００で燃焼した燃料（Ｂ）の灰を収集する。使用者は使用後、灰受け板１１５に収集された灰を分別して廃棄する。
【００３６】
灰受け板１１５の枠領域には、一定高さの垂直に形成された枠垂直壁１１５ａが形成される。枠垂直壁１１５ａは、図１に示されるように組立状態で側面結合翼１２０と灰受け板１１５との間の離隔空間、及び二重パネル２００と灰受け板１１５との間の離隔空間を一定の高さでカバーし、内部の灰が外部へ飛散することを防止する。
【００３７】
この時、枠垂直壁１１５ａは、二重パネル２００と一定高さの離隔空間が生じるようにして、図４に示されるように外部空気（Ａ）が離隔空間を介して内部に流入した後、燃焼板３００の下部を通って燃料（Ｂ）に供給されるようにする。
【００３８】
枠垂直壁１１５ａの両側には、内部折曲軸の結合孔１１５ｂが形成される。内部折曲軸の結合孔１１５ｂには、側面結合翼１２０が回動され、折り曲げられたり広がるように支持する内部折曲軸１１６が挿入される。内部折曲軸１１６は、側面結合翼１２０の外部折曲軸の結合孔１２２ａと内部折曲軸の結合孔１１５ｂと、を貫通して結合される。
【００３９】
一対の側面結合翼１２０は、灰受け板１１５の上面に折り曲げまたは垂直方向に広がるように結合される。側面結合翼１２０は、収納時には、図５に示されるように内部折曲軸１１６を中心に回動され、灰受け板１１５の上面に水平方向に折り曲げられる。
【００４０】
一方、側面結合翼１２０は、使用時には、図７の（ａ）に示されるように、灰受け板１１５に対して内部折曲軸１１６を中心に回動され、垂直方向に広がる。一対の側面結合翼１２０は、灰受け板１１５の両側に垂直方向に広がって、図７の（ｂ）に示されるように一対の外部パネル２１０が挟まれて組み立てられるようにする。
【００４１】
一対の側面結合翼１２０は、それぞれ外部に配置される外部折畳板１２１と、外部折畳板１２１の内部に配置される内部支持板１２３とが結合して備えられる。外部折畳板１２１は、図３に示されるように、灰受け板１１５の幅に対応する幅と灰受け板１１５の長さの１／２に対応する長さを有するように形成される。
【００４２】
これによって、一対の側面結合翼１２０が折り曲げられた時、図５に示されるように灰受け板１１５の上面において両側に重ならないように並んで配置されることができる。
【００４３】
外部折畳板１２１の上部には、両側において下部に向かって一定の深さで陥没するように形成された一対の位置固定ボルト挿入溝１２１ａが備えられる。
【００４４】
位置固定ボルト挿入溝１２１ａは、図７の（ｂ）に示されるように外部パネル２１０が組み立てられるとき、外部パネル２１０の上部に外側に突出形成された位置固定ボルト２１６が挟まれる。
【００４５】
図７の（ｃ）に示されるように位置固定ボルト挿入溝１２１ａに位置固定ボルト２１６が挟まれながら、外部パネル２１０が一対の側面結合翼１２０の間に固定されて位置が拘束される。
【００４６】
外部折畳板１２１の両側には、内側に一定面積が折曲形成されたパネルの挟みガイド板１２２が備えられる。
【００４７】
パネルの挟みガイド板１２２は、図７の（ｂ）に示されるように外部パネル２１０が組み立てられるとき、外部パネル２１０が挟まれるように案内する。
【００４８】
外部パネル２１０は、パネルの挟みガイド板１２２と内部支持板１２３との離隔空間の間にスライディング挿入され、結合され得る。
【００４９】
パネルの挟みガイド板１２２の下部には、内部折曲軸１１６が挿入される外部折曲軸の結合孔１２２ａが形成される。外部折曲軸の結合孔１２２ａに挿入された内部折曲軸１１６を中心に側面結合翼１２０が折畳され得る。
【００５０】
内部支持板１２３は、外部折畳板１２１の内面に固定結合される。内部支持板１２３は、複数の結合ボルトなどによって外部折畳板１２１に固定される。内部支持板１２３は、外部折畳板１２１より幅が狭く形成される。これにより、図７の（ｂ）に示されるように内部支持板１２３の側面枠と外部折畳板１２１のパネルの挟みガイド板１２２との間には離隔空間が形成される。
【００５１】
離隔空間の幅は、二重パネル２００の厚さに対応して設計され、二重パネル２００は離隔空間にスライディング挿入される。
【００５２】
内部支持板１２３の下部には、内側に向かって一定面積水平方向に折曲形成された燃焼板置き段１２３ａが形成される。燃焼板置き段１２３ａには、燃焼板３００が据置され、位置が固定される。
【００５３】
内部支持板１２３の上部には、両側に一対のバーナーキットの安着段１２３ｂが備えられる。バーナーキットの安着段１２３ｂは、図１０の（ａ）に示されるように上部にガスバーナーキット６００が結合されるように支持する。
【００５４】
一対の二重パネル２００は、一対の側面結合翼１２０の間の前後に挟み結合され、側面結合翼１２０と共に燃焼空間２３０を形成する。一対の二重パネル２００は、それぞれ外部パネル２１０と、外部パネル２１０の内部に結合されて外部パネル２１０との間に空気移動空間２１８を形成する内部パネル２２０と、が結合されて形成される。
【００５５】
一対の二重パネル２００は、一対の側面結合翼１２０と結合して断面が四角形であり、内部に燃焼空間２３０が形成された箱状を形成する。外部パネル２１０は、垂直に配置される外部パネル本体２１１と、外部パネル本体２１１の上部に内側方向に水平に備えられる上面２１３と、外部パネル本体２１１の両側に折曲して備えられる一対の側面２１５と、外部パネル本体２１１の下部に水平に備えられる下部面２１７と、を含む。
【００５６】
外部パネル本体２１１は、一定面積を有する板状で備えられる。外部パネル本体２１１の下部には、複数の１次空気吸入口２１１ａが水平方向に貫通形成される。１次空気吸入口２１１ａは、図４に示されるように外部から一次空気（Ａ１）を外部パネル２１０と内部パネル２２０との間の空気移動空間２１８に流入させる。
【００５７】
上面２１３には火炎案内羽根２１３ａが内側に向かって一定角度傾斜して形成される。火炎案内羽根２１３ａは、内部パネル２２０の２次空気吐出口２２１ａから吐出される２次空気（Ａ２）が上部に向かわずに燃焼空間２３０の内部に向かうように案内する。これにより、２次空気（Ａ２）と会って形成された火炎（Ｆ）が火炎案内羽根２１３ａの内側で形成され、外部に排出されなくなる。
【００５８】
上面２１３の両側には、固定金具の結合孔２１４が形成される。固定金具の結合孔２１４は、図１に示されるように組み立て式キャンプ用火鉢１に鉄板４００を結合させるとき、鉄板固定金具４２０が結合される。
【００５９】
側面２１５の上部と下部には、それぞれ上部結合孔２１５ａと下部結合孔２１５ｂと、が備えられる。上部結合孔２１５ａと下部結合孔２１５ｂには、位置固定ボルト２１６がいずれかに選択的に結合される。
【００６０】
下部面２１７は、外部パネル本体２１１の下部に内側に一定面積の水平方向に形成される。下部面２１７は、図４に示されるように内側に一定面積形成され、枠垂直壁１１５ａの上部に流入した外部空気（Ａ）が空気移動空間２１８に移動されないように遮断する。これにより、外部空気（Ａ）が燃焼板３００を介して燃料（Ｂ）に供給される。
【００６１】
内部パネル２２０は、外部パネル２１０の内側に結合され、外部パネル２１０との間に空気移動空間２１８を形成する。内部パネル２２０は、図４に示されるように外部パネル本体２１１の内側に配置される内部パネル本体２２１と、内部パネル本体２２１の下部に水平方向に延在形成される下部内側結合板２２３と、内部パネル本体２２１の上部に延在形成される上部内側結合板２２７と、を含む。
【００６２】
内部パネル本体２２１は、外部パネル本体２１１に対応する面積を有するように形成される。ここで、内部パネル本体２２１は、図３に示されるように高さ方向に沿って外部パネル本体２１１に向けて突出する曲率を有する曲面状に形成される。
【００６３】
内部パネル本体２２１が曲面状に形成されることは、燃料（Ｂ）の燃焼時に発生する熱による熱変形を最小化するためである。場合によって、内部パネル本体２２１は幅方向に沿って曲率を有する曲面状に形成され得る。
【００６４】
曲面状の内部パネル本体２２１は、火炎によって熱が伝達されるとき、全領域に均一に熱を受けることになる。これにより、内部パネル本体２２１が熱によってへこむような熱変形を最小化できる。
【００６５】
内部パネル本体２２１の上部には、幅方向に沿って複数の２次空気吐出口２２１ａが貫通形成される。２次空気吐出口２２１ａは、図４に示されるように１次空気吸入口２１１ａを介して空気移動空間２１８に沿って上部に移動された２次空気（Ａ２）を燃焼空間２３０に向けて吐出する。
【００６６】
１次空気吸入口２１１ａを介して空気移動空間２１８に流入した１次空気（Ａ１）は、上部に上昇しながら燃焼空間２３０で発生した熱が伝達され、温度が上昇する。温度が上昇した２次空気（Ａ２）は、燃焼空間２３０の燃料（Ｂ）と燃焼ガスに供給され、燃料（Ｂ）の２次燃焼が行われるようにする。
【００６７】
下部内側結合板２２３と、上部内側結合板２２７とは、下部面２１７と同じ厚さで延長形成され、外部パネル本体２１１との間に空気移動空間２１８が形成されるように離隔させる。下部内側結合板２２３と、上部内側結合板２２７との端部には、それぞれ上部と下部に折曲形成され、外部パネル本体２１１と締結部材によって固定結合される下部結合折曲板２２５及び上部結合折曲板２２８が備えられる。
【００６８】
燃焼板３００は、燃焼空間２３０の内部に配置され、上面に燃料（Ｂ）が積載され燃焼できるように支持する。燃焼板３００は、板面に再排出孔３１０が貫通形成される。再排出孔３１０は二重パネル２００と灰受け板１１５との間に流入した外部空気（Ａ）を燃料（Ｂ）に供給する役割を果たす。
【００６９】
燃焼板３００の両側には、下部に一定高さの据置レッグ３２０が備えられる。燃焼板３００は、図７の（ｂ）に示されるように、一対の二重パネル２００が一対の側面結合翼１２０に結合された後、燃焼空間２３０に配置される。このとき、使用者は、燃焼板３００の両側を一対の側面結合翼１２０の燃焼板置き段１２３ａに据置させて燃焼板３００の位置を固定させる。
【００７０】
鉄板４００は、図２に示されるように組み立て式キャンプ用火鉢１の上部に据置され、燃料（Ｂ）の燃焼によって発生した熱で食べ物（Ｍ）が調理されるようになる。
【００７１】
本考案の鉄板４００は、多様な材質で形成され得り、好ましくはＳＰＨＣ材質で形成され得る。鉄板４００は、６ｍｍの厚さで形成され、半永久的に使用できる耐久性を有するように備えられる。
【００７２】
鉄板４００の両側には、取っ手４１０がある。取っ手４１０には、リフター挿入孔４１１が形成される。
【００７３】
鉄板４００は、鉄板固定金具４２０を用いて一対の外部パネル２１０の上部に据置される。鉄板固定金具４２０は、鉄板４００に傾斜をつけ、鉄板４００に肉を焼くとき、肉から発生した油が流れ落ちるようにする。
【００７４】
鉄板固定金具４２０は、固定金具レッグ４２１が一定の高さに形成され、固定金具レッグ４２１が外部パネル２１０上面の固定金具の結合孔２１４に着脱可能に結合される。
【００７５】
鉄板４００が鉄板固定金具４２０により外部パネル２１０の上部に据置されるとき、傾斜した鉄板４００の下部側には油受け４３０が着脱可能に結合されて油を収容する。油受け４３０には、差し込み溝４３１が形成され、鉄板４００の枠にはめ込まれて位置が固定される。
【００７６】
このような構成を有する本考案による組み立て式キャンプ用火鉢１の収納と組立及び使用過程を図１乃至図８を参照して説明する。
【００７７】
組み立て式キャンプ用火鉢１を使用しない場合、図５に示されるように本体１００の内部に一対の二重パネル２００と燃焼板３００及び鉄板４００を収納し、一対の側面結合翼１２０を灰受け板１１５の上面に折り畳んで体積を最小化して保管する。
【００７８】
場合によっては、このように体積が最小化された組み立て式キャンプ用火鉢１は、保管バッグ（未図示）に収納して保管することができる。
【００７９】
その際、図６に示されるように一対の二重パネル２００は、互いに重ね合わせて配置され、鉄板４００は、二重パネル２００の上部に積載される。こうして互いに積層された二重パネル２００と鉄板４００は、本体１００の収納空間１１７の内部に押して収納される。この際、油受け４３０と鉄板固定金具４２０は保管バッグ（未図示）に一緒に保管される。
【００８０】
キャンプ場などで組み立て式キャンプ用火鉢１を使用する際は、使用者が現場で直接組立てて使用する。
【００８１】
そのために、図６に示されるように収納空間１１７に収納された一対の二重パネル２００と鉄板４００とを外部に取り出す。
【００８２】
そして、図７の（ａ）に示されるように一対の側面結合翼１２０を内部折曲軸１１６を中心に垂直方向に回動させて側面結合翼１２０を広げる。そして、図７の（ｂ）に示されるように垂直に広がる一対の側面結合翼１２０の間に一対の外部パネル２１０を挟み結合する。
【００８３】
使用者は、一対の外部パネル２１０をパネルの挟みガイド板１２２と内部支持板１２３との間の空間に挟み込む。そして、図７の（ｃ）に示されるように外部パネル２１０の位置固定ボルト２１６を側面結合翼１２０の位置固定ボルト挿入溝１２１ａに挟み込んで外部パネル２１０を固定する。
【００８４】
外部パネル２１０の位置が固定されれば、使用者は燃焼板３００を燃焼空間２３０の内部に挿入し、燃焼板３００を側面結合翼１２０の燃焼板置き段１２３ａに据置させて固定し、組立を完了する。
【００８５】
ここで、場合によっては、燃焼板３００の下部に燃焼板補強部材３３０が配置され得る。
【００８６】
このように組み立て式キャンプ用火鉢１の組立が完了すると、使用者は図４に示されるように燃焼板３００の上面に燃料（Ｂ）を積載して火を点火する。燃料（Ｂ）には、外部パネル２１０と枠垂直壁１１５ａとの間の離隔空間を通じて外部空気（Ａ）が流入し、燃料（Ｂ）は１次燃焼される。
【００８７】
そして、外部パネル２１０の１次空気吸入口２１１ａに１次空気（Ａ１）が流入する。１次空気吸入口２１１ａに流入した１次空気（Ａ１）は、空気移動空間２１８に沿って上方向に移動される。この過程において、１次空気（Ａ１）は燃料の燃焼過程で発生した熱によって温度が上昇する。
【００８８】
温度が上昇した２次空気（Ａ２）は、内部パネル２２０の２次空気吐出口２２１ａを介して燃焼空間２３０に供給され、１次燃焼した火炎及び燃焼ガスと出会うことになる。これにより火炎と燃焼ガスが２次燃焼し、完全燃焼が誘導される。完全燃焼すると火炎の温度が上昇し、熱効率が上昇する。
【００８９】
燃料（Ｂ）が燃焼すれば、使用者は組み立て式キャンプ用火鉢１をキャンプテーブルの上面に移動させて使用できる。組み立て式キャンプ用火鉢１のベース板１１１は、熱が伝わらない木材で形成されるため、テーブルに熱が伝わらず安全に使用できる。
【００９０】
使用者は、組み立て式キャンプ用火鉢１の上部に鉄板４００を結合させて食べ物の調理に利用することができる。
【００９１】
このために、図８の（ａ）に示されるように鉄板固定金具４２０を両方の固定金具の結合孔２１４のいずれか一方に結合させる。そして、図８の（ｂ）に示されるように鉄板固定金具４２０と上面２１３に鉄板４００を傾斜して置く。
【００９２】
そして、図８の（ｃ）に示されるように、油受け４３０の差し込み溝４３１を鉄板４００の高さの低い端部に結合させ、肉をはじめ様々な食べ物の調理に用いることができる。
【００９３】
使用後、熱く加熱された鉄板４００は、図２に示されるようにリフター４４０を用いて二重パネル２００の上部から分離することができる。リフター４４０は、取っ手４１０のリフター挿入孔４１１に入れて使われる。
【００９４】
一方、図９と図１０は、本考案の組み立て式キャンプ用火鉢１の様々な使用例を示す例示図である。
【００９５】
組み立て式キャンプ用火鉢１は、鉄板４００のほかにグリル５００、ガスバーナーキット６００、アルコール暖炉キット７００を選択的に提供することができる。
【００９６】
よって、図９に示されるように、上部にグリル５００を積載して直火方式で食べ物を調理することができる。この場合、一対の鉄板固定金具４２０を使用してグリル５００を水平に据置することができる。
【００９７】
また、図１０の（ａ）に示されるように組み立て式キャンプ用火鉢１の上部にガスバーナーキット６００を結合させて使用することができる。
【００９８】
この場合、燃焼空間２３０に燃料を満たさずにバーナー（Ｃ）をガスバーナーキット６００に結合させて使用できる。ガスバーナーキット６００は、一対の外部パネル２１０の上面２１３の間に挿入され、位置が固定される。
【００９９】
ガスバーナーキット６００にはバーナー（Ｃ）が結合されるガスバーナー挿入孔６１０が少なくとも１つ以上形成される。
【０１００】
一方、図１０の（ｂ）に示されるように、組み立て式キャンプ用火鉢１の上部にアルコール暖炉キット７００が結合して使用され得る。
【０１０１】
以上で見たように、本考案による組み立て式キャンプ用火鉢は、本体内部に二重パネルと燃焼板及び鉄板が一緒に収納され、体積を最小化して収納及び保管が容易な長所がある。
【０１０２】
また、使用のために一対の側面結合翼を広げ、一対の二重パネルを挟んで燃焼板を安着させる簡単な過程によって組み立てを完了できる便利さがある。
【０１０３】
また、組み立て済みの組み立て式キャンプ用火鉢は、床に熱が伝わらない木材で形成され、地面だけでなくテーブル上にも配置でき、使用者の身体的負担を軽減できるという長所がある。
【０１０４】
また、燃料の下部に供給される外部空気のほか、燃料の上部に温度が上昇した２次空気を供給し、２次燃焼が進むようにする。これにより、完全燃焼を誘導して単位燃料当たりの熱効率を最大化することができるというメリットがある。
【０１０５】
以上、いくつかの実施例を通じて、本考案の技術的思想を説明した。
【０１０６】
本考案の属する技術分野における通常の知識を有する者が、本考案の記載事項から前記説明した実施例を様々に変形し、又は変更できることは自明である。また、明示的に図示され、又は説明されていなかったとしても、本考案の属する技術分野における通常の知識を有する者が、本考案の記載事項から本考案による技術的思想を含む様々な形態の変形をすることができることは自明であり、これは依然として本考案の権利範囲に属する。添付する図面を参照して説明されている前記の実施例は、本考案を説明するための目的で記述されているものであり、本考案の権利範囲は、このような実施例に限らない。
【符号の説明】
【０１０７】
１：組み立て式キャンプ用火鉢 
１００：本体
１１０：下部スタンド
１１１：ベース板
１１３：支持レッグ
１１３ａ：上部折り曲げ結合面
１１３ｂ：下部折り曲げ結合面
１１５：灰受け板
１１５ａ：枠垂直壁
１１５ｂ：内部折曲軸の結合孔
１１６：内部折曲軸
１１７：収容空間
１２０：側面結合翼
１２１：外部折畳板
１２１ａ：位置固定ボルト挿入溝
１２２：パネルの挟みガイド板
１２２ａ：外部折曲軸の結合孔
１２３：内部支持板
１２３ａ：燃焼板置き段
１２３ｂ：バーナーキットの安着段
２００：二重パネル
２１０：外部パネル
２１１：外部パネル本体
２１１ａ：１次空気吸入口
２１３：上面
２１３ａ：火炎案内羽根
２１４：固定金具の結合孔
２１５：側面
２１５ａ：上部結合孔
２１５ｂ：下部結合孔
２１６：位置固定ボルト
２１７：下部面
２１８：空気移動空間
２２０：内部パネル
２２１：内部パネル本体
２２１ａ：２次空気吐出口
２２３：下部内側結合板
２２５：下部結合折曲板
２２７：上部内側結合板
２２８：上部結合折曲板
２３０：燃焼空間
３００：燃焼板
３１０：再排出孔
３２０：据置レッグ
３３０：燃焼板補強部材
４００：鉄板
４１０：取っ手
４１１：リフター挿入孔
４２０：鉄板固定金具
４２１：固定金具レッグ
４３０：油受け
４３１：差し込み溝
４４０：リフター
５００：グリル
６００：ガスバーナーキット
６１０：ガスバーナー挿入孔
７００：アルコール暖炉キット
Ａ：外部空気
Ａ１：１次空気
Ａ２：２次空気
Ｂ：燃料
Ｃ：ガスバーナー
Ｆ：火炎
Ｍ：食べ物
【図１】
0003230029.tif 000003
【図２】
0003230029.tif 000004
【図３】
0003230029.tif 000005
【図４】
0003230029.tif 000006
【図５】
0003230029.tif 000007
【図６】
0003230029.tif 000008
【図７】
0003230029.tif 000009
【図８】
0003230029.tif 000010
【図９】
0003230029.tif 000011
【図１０】
0003230029.tif 000012